(57)【要約】【課題】  自動化することにより各末端装置の点検の係る時間と労力を軽減する。【解決手段】  通信回線を通じて接続された集中制御装置２によって監視及び制御され、遠隔各地に配置された末端装置１００の自動点検方法であって、自動点検装置１は、末端装置１００に複数ある制御項目を一つずつ順次選択する指示を送信し、その選択指示に対する動作の結果を受信し、その動作結果に基づいてそれぞれの選択に対応した動作が適切に作動したか否かを判定する。【選択図】  図１
2009253624.tif 000002
【特許請求の範囲】
【請求項１】
通信回線を通じて接続された集中制御装置によって監視及び制御され、遠隔各地に配置された末端装置の自動点検方法であって、
コンピュータが、
前記末端装置に複数ある制御項目を一つずつ順次選択する指示を送信し、前記選択指示に対する動作の結果を受信し、前記動作結果に基づいてそれぞれの選択に対応した動作が適切に作動したか否かを判定することを特徴とする自動点検方法。
【請求項２】
請求項１に記載の自動点検方法であって、
前記コンピュータは、前記判定した結果を記憶装置に記憶することを特徴とする自動点検方法。
【請求項３】
請求項１又は２に記載の自動点検方法であって、
前記コンピュータは、予め記憶された日付時刻に自動点検を行うことを特徴とする自動点検方法。
【請求項４】
請求項１〜３の何れかに記載の自動点検方法であって、
前記コンピュータは、集中制御装置であることを特徴とする自動点検方法。
【請求項５】
請求項１〜４の何れかに記載の自動点検方法であって、
前記コンピュータは、前記判定した結果を予め記憶された連絡先に送信することを特徴とする自動点検方法。
【請求項６】
通信回線を通じて接続された集中制御装置によって監視及び制御され、遠隔各地に配置された末端装置の自動点検するためのプログラムであって、
コンピュータに、
末端装置に複数ある制御項目を一つずつ順次選択する指示を送信するステップと、
前記選択指示に対する動作の結果を受信するステップと、
前記動作結果に基づいてそれぞれの選択に対応した動作が適切に作動したか否かを判定するステップと、
実行させることを特徴とする自動点検プログラム。
【請求項７】
遠隔各地に配置され、通信回線を通じて接続された集中制御装置によって監視及び制御される末端装置を自動点検する装置であって、
前記末端装置に複数ある制御項目を一つずつ順次選択する指示を前記末端装置へ送信する選択手段と、
前記選択指示に対する動作の結果を前記末端装置から受信する受信手段と、
前記受信手段で受信した動作結果に基づいて、前記選択した制御項目に対応した動作が適切に作動したか否かを判定する判定手段と、
を備えることを特徴とする自動点検装置。
【発明の詳細な説明】
【技術分野】
【０００１】
通信回線を通じて接続された集中制御装置によって監視及び制御される末端装置の自動点検方法、プログラム及び装置に関する。
【背景技術】
【０００２】
遠隔各地にある事業所のプラント設備の運転を一箇所で集中的に制御することができる集中制御装置では、各プラント設備の運転をそれぞれ監視・制御・計測する各遠隔監視制御装置（以下、「末端装置」という）を集中制御装置が電気通信回線を介して集中的に制御する。しかしながら、各末端装置が適切に作動しているか否かの点検をするための選択制御試験を行う場合、これまでは、スタッフが各事業所に出向いて試験器を用いて行ってきた。したがって、この点検作業には、多大な時間と労力を要するとの問題があった。また、人の手を介して行うので、人為的な単純ミスの発生のリスクもあった。
【０００３】
なお、特許文献１には赤外線センサ等の動作試験における労力を軽減する技術が開示されているが、この技術は制御試験には用いることができない。
【特許文献１】特開平６−１７６２８８号公報
【発明の開示】
【発明が解決しようとする課題】
【０００４】
本発明は、このような課題に対して、自動化することにより各末端装置の点検の係る時間と労力を軽減できる点検方法を提供することを目的とする。
【課題を解決するための手段】
【０００５】
第１の発明は、通信回線を通じて接続された集中制御装置によって監視及び制御され、遠隔各地に配置された末端装置の自動点検方法であって、
コンピュータが、
前記末端装置に複数ある制御項目を一つずつ順次選択する指示を送信し、前記選択指示に対する動作の結果を受信し、前記動作結果に基づいてそれぞれの選択に対応した動作が適切に作動したか否かを判定することを特徴とする自動点検方法である。
【０００６】
第２の発明は、第１の発明に記載の自動点検方法であって、
前記コンピュータは、前記判定した結果を記憶装置に記憶することを特徴とする自動点検方法である。
【０００７】
第３の発明は、第１又は第２の発明に記載の自動点検方法であって、
前記コンピュータは、予め記憶された日付時刻に自動点検を行うことを特徴とする自動点検方法である。
【０００８】
第４の発明は、第１〜３の発明の何れかに記載の自動点検方法であって、
前記コンピュータは、集中制御装置であることを特徴とする自動点検方法である。
【０００９】
第５の発明は、第１〜４の発明の何れかに記載の自動点検方法であって、
前記コンピュータは、前記判定した結果を予め記憶された連絡先に送信することを特徴とする自動点検方法である。
【００１０】
第６の発明は、通信回線を通じて接続された集中制御装置によって監視及び制御され、遠隔各地に配置された末端装置の自動点検するためのプログラムであって、
コンピュータに、
末端装置に複数ある制御項目を一つずつ順次選択する指示を送信するステップと、
前記選択指示に対する動作の結果を受信するステップと、
前記動作結果に基づいてそれぞれの選択に対応した動作が適切に作動したか否かを判定するステップと、
実行させることを特徴とする自動点検プログラムである。
【００１１】
第７の発明は、遠隔各地に配置され、通信回線を通じて接続された集中制御装置によって監視及び制御される末端装置を自動点検する装置であって、
前記末端装置に複数ある制御項目を一つずつ順次選択する指示を前記末端装置へ送信する選択手段と、
前記選択指示に対する動作の結果を前記末端装置から受信する受信手段と、
前記受信手段で受信した動作結果に基づいて、前記選択した制御項目に対応した動作が適切に作動したか否かを判定する判定手段と、
を備えることを特徴とする自動点検装置である。
【発明の効果】
【００１２】
本発明によれば、末端装置の点検を自動化することにより点検に要する時間と労力を軽減することができる。
【発明を実施するための最良の形態】
【００１３】
図１は、本発明の一実施形態である自動点検装置１の全体構成図である。同図に示すように、本実施形態の自動点検装置１は、選択手段１０、受信手段２０、判定手段３０、通知手段４０、出力手段５０、スケジュール管理手段６０などを備えている。また、自動点検装置１は、遠隔各地の変電所や発電所に設置された末端装置１００ｘ、１００ｙ、１００ｚなどと電気通信回線を介して通信可能となっている。
【００１４】
なお、図１に示すように、自動点検装置１は、携帯可能なコンピュータであって、各事業所で末端装置に接続することにより試験する機器であってもよい。また、図２に示すように、各事業所の末端装置に電気通信回線を通じて接続され末端装置１００を監視制御する集中制御装置２に、自動点検装置１の機能が内蔵されていてもよい。
【００１５】
また、本発明の前提として、例えばＸ変電所１１０には、末端装置１００ｘの他に、電流計１１１、遮断器１１２ａ、１１２ｂ、１１２ｃ、１１２ｄ、変圧器１１３、電圧計１１４などが設置されており、末端装置１００ｘは、これらの機器１１１〜１１４とＸ変電所１１０内の電気通信回線を介して通信可能となっているものとする。
【００１６】
選択手段１０は、末端装置１００に複数ある制御項目を一つずつ順次選択する指示を末端装置１００へ送信する。まず、選択手段１０は、ある制御項目を選択する指示を末端装置１００に送信する。そして、後述する点検に係る一連の処理が終了すると、選択手段１０は、当該制御項目の選択を解除する指示を末端装置１００に送信する。
【００１７】
なお、本実施形態において、選択の指示は、例えば、所定の選択コマンドと、選択すべき機能に対応するビットを「１」とした所定ワード数（Ｎワード）の選択パラメータとを含む選択指示信号を末端装置１００へ送信することにより行われる。なお、選択の解除の指示も同様に、例えば、所定の選択解除コマンドと、選択を解除すべき項目に対応するビットを「１」とした所定ワード数の選択パラメータとを含む選択解信号を末端装置１００へ送信することにより行われる。
【００１８】
例えば、Ｘ変電所１１０に設置された末端装置１００ｘであれば、電流計１１１に電流値を計測させ、遮断器１１２の入切状態を制御管理し、変圧器１１３により電圧を上下させ、電圧計１１４に電圧値を計測させる等を行うが、末端装置１００ｘにおいてある制御項目が選択されると、その選択を実行させるためのリレーが作動してその選択が実施される。選択手段１０は、末端装置１００ｘの有するこれらの制御項目を一つずつ順次選択し、実行させるためのリレーを作動させる。
【００１９】
なお、選択を実行させることにより各機器が現実に作動すると設備運転上何らかの問題の生じるおそれがあるので、当該機能と直列に連結した別のリレーによって遮断しておく等、各手段１０〜３０が作動しても各機器が作動しないようにした上で試験をすることとする。
【００２０】
受信手段２０は、選択手段１０の行った選択指示に対する作動の結果を末端装置１００から受信する。例えば、選択手段１０の選択指示により、末端装置１００ｘが遮断器１１２ａを選択する指示をした場合、選択リレーが作動していたか否かの結果を受信する。
【００２１】
判定手段３０は、受信手段２０で受信した作動の結果に基づいて、選択した機能に対応したリレーが適切に作動したか否かを判定する。
【００２２】
通知手段４０は、関係部署等のメールアドレスやＦＡＸ番号等の連絡先を記憶しており、判定手段３０による判定結果を、記憶された連絡先へ電気通信回線を介して電子メールやＦＡＸにより送信する。この電気通信回線は、事業所を結ぶ専用回線であってもよく、またインターネットを含む一般回線であってもよい。
【００２３】
出力手段５０は、ディスプレイやプリンタ等であって、判定手段３０による判定結果を出力する。
【００２４】
スケジュール管理手段６０は、カレンダー機能（現在の日付を確認する機能）及び時刻管理機能（現在の時刻を確認する機能）を有し、予め指定され記憶された日付時刻に点検試験を実施するよう自動点検装置１を制御する。例えば、Ｘ変電所１１０について、毎週日曜日午前１時から点検試験を実施するように予め指定しておくことができる。
【００２５】
図３は、自動点検装置１による点検試験の処理フローを示す。まず、予め指定されていた日付時刻になるとスケジュール管理手段６０が自動点検装置１を起動して点検試験を開始するよう制御する（Ｓ２０２）。
【００２６】
次に選択手段１０が、末端装置１００の機能のうち未点検のものから一つを選択する指示を末端装置１００へ送信する（Ｓ２０４、Ｓ２１４）。具体的には、選択手段は、最初に、選択パラメータの最下位（第１）ワードの最下位（第０）ビットを「１」にセットした選択指示信号を送信し（Ｓ２０４）、２回目以降は、前回送信した指示信号のビット位置より１ビット上位のビット位置（前回送信した指示信号のビット位置が最上位（第７）ビットの場合は、次ワードの最下位（第０）ビット）を「１」にセットした選択指示信号を送信する（Ｓ２１４）。
【００２７】
受信手段２０は、当該指示信号に対する末端装置１００作動の結果を末端装置１００から受信する（Ｓ２０６）。判定手段３０が、当該作動の結果に基づいて当該機能が適切に作動したか否かを判定する（Ｓ２０８）。具体的には、末端装置１００は、選択指示信号の選択パラメータのビット位置で指定された機能の動作を正常に行った場合は、同じビット位置を「１」にセットした作動結果信号を自動点検装置１へ送信し、判定手段３０はこの作動結果信号に基づいて、該当する機能が正常であるか否かを判定する。判定手段３０において判定処理が終了すると、選択手段１０が末端装置１００の当該機能の選択を解除するための選択解除信号を末端装置１００へ送信する（Ｓ２１０）。この作業は、末端装置１００の全ての機能について点検が終了するまで（具体的には、最上位ワード（第Ｎワード）の最上位（第７)ビットを「１」にセットした選択指示信号の送信、作動結果信号の受信、及び、選択解除信号の送信を行うまで）繰り返し行う（Ｓ２１２：ＮＯ、Ｓ２１４）。こうして、末端装置１００の全ての機能について点検が終了すると（Ｓ２１２：ＹＥＳ）、通知手段４０が内部部署等への電子メールやＦＡＸを送信するとともに、判定手段３０による判定結果を出力手段５０が出力する（Ｓ２１６）。
【００２８】
以上の通り、本実施形態の自動点検装置１によれば、末端装置１００の点検作業を自動化することにより、各末端装置の点検の係る時間と労力を軽減できる。
【００２９】
また、本実施形態の自動点検装置１によって点検試験に係る労力を軽減できることから、点検試験を頻繁に行うことができ、これによって末端装置１００の信頼性を向上させることができる。
【００３０】
さらに、この点検試験を実施する日時を予め設定することができるので、頻繁に点検試験をする場合であっても短い周期（例えば、毎週）を設定しておけば忘れることなく確実に点検試験を実施できる。加えて、事業所の作業負荷の小さい時間帯（例えば、深夜・未明の時間帯など）を選んで点検試験を実施することができる。
【００３１】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００３２】
【図１】本発明の実施形態である自動点検装置１の全体構成図である。
【図２】本発明の別の実施形態である自動点検装置１の全体構成図である。
【図３】自動点検装置１による点検試験の処理フローを示す図である。
【符号の説明】
【００３３】
１  自動点検装置
１０  選択手段
２０  受信手段
３０  判定手段
４０  通知手段
５０  出力手段
６０  スケジュール管理手段
１００  末端装置
１１０  変電所
１１１  電流計
１１２  遮断器
１１３  変圧器
１１４  電圧計
１２０  変電所
１３０  発電所
【図１】
2009253624.tif 000003
【図２】
2009253624.tif 000004
【図３】
2009253624.tif 000005